(57)【要約】【課題】コストを低減させつつ、竪樋の出寸法に応じて被覆範囲の異なる露出部を被覆することの可能な竪樋支持具の固定部材カバーを得る。【解決手段】竪樋３０を支持する支持具本体１を建物の外壁２０に取付固定する釘（固定部材）２の露出部２ｃを被覆する竪樋支持具１０の固定部材カバー４０、４０Ａであって、釘２の露出部２ｃに装着されるカバー本体４１と、このカバー本体４１にスライド可能に支持され、前記露出部２ｃの被覆範囲を可変とする可動カバー部４６とを備えた固定部材カバー４０、４０Ａを用いる。【選択図】図２
2011006898.tif 000002
【特許請求の範囲】
【請求項１】
竪樋を支持する支持具本体を建物の外壁に取付固定する固定部材の露出部を被覆する竪樋支持具の固定部材カバーであって、
前記固定部材の露出部に装着されるカバー本体と、前記カバー本体にスライド可能に支持され、前記露出部の被覆範囲を可変とする可動カバー部とを備えることを特徴とする竪樋支持具の固定部材カバー。
【請求項２】
前記カバー本体の下壁部には、当該カバー本体の長手方向に沿って前記露出部を上方から係合させる溝部が形成されているとともに、
前記可動カバー部は、前記カバー本体の天壁部と短手方向両側壁部とを覆う略コ字状に形成されていることを特徴とする請求項１に記載の竪樋支持具の固定部材カバー。
【請求項３】
前記支持具本体に、前記カバー本体を回り止めする回り止め部を設けたことを特徴とする請求項１または請求項２に記載の竪樋支持具の固定部材カバー。
【請求項４】
前記カバー本体および可動カバー部の天壁部に、前記支持具本体に向かうにつれて下方に傾斜する傾斜部を設けたことを特徴とする請求項１〜３のうち何れか１項に記載の竪樋支持具の固定部材カバー。
【発明の詳細な説明】
【技術分野】
【０００１】
本発明は、竪樋支持具の固定部材カバーに関する。
【背景技術】
【０００２】
従来より、竪樋を支持する支持具本体に設けられた挿通孔に固定用ビスを一端側から挿通し、当該ビスを建物の外壁に捻じ込み固定するとともに、露出した当該ビスの露出部をビスカバー部材で被覆するようにした竪樋支持具の固定部材カバーが知られている（例えば、特許文献１参照）。
【０００３】
特許文献１では、現場によって異なる竪樋の出寸法（建物の外壁と竪樋との距離）に対応できるように、長さの異なる固定用ビスとビスカバー部材とが複数種類準備されており、適切な長さの固定用ビスとビスカバー部材とを取り付ける構成となっている。
【先行技術文献】
【特許文献】
【０００４】
【特許文献１】特開２００７−１９１９０７号公報
【発明の概要】
【発明が解決しようとする課題】
【０００５】
しかしながら、上記従来技術のように、竪樋の出寸法に応じて適切な長さのビスカバー部材を取り付ける構成では、複数種類のビスカバー部材を準備しとかなければならないため、コスト高になってしまうという問題がある。
【０００６】
そこで、本発明は、コストを低減させつつ、竪樋の出寸法に応じて被覆範囲の異なる露出部を被覆することの可能な竪樋支持具の固定部材カバーを得ることを目的とする。
【課題を解決するための手段】
【０００７】
請求項１の発明にあっては、竪樋を支持する支持具本体を建物の外壁に取付固定する固定部材の露出部を被覆する竪樋支持具の固定部材カバーであって、前記固定部材の露出部に装着されるカバー本体と、前記カバー本体にスライド可能に支持され、前記露出部の被覆範囲を可変とする可動カバー部とを備えることを特徴とする。
【０００８】
請求項２の発明にあっては、前記カバー本体の下壁部には、当該カバー本体の長手方向に沿って前記露出部を上方から係合させる溝部が形成されているとともに、前記可動カバー部は、前記カバー本体の天壁部と短手方向両側壁部とを覆う略コ字状に形成されていることを特徴とする。
【０００９】
請求項３の発明にあっては、前記支持具本体に、前記カバー本体を回り止めする回り止め部を設けたことを特徴とする。
【００１０】
請求項４の発明にあっては、前記カバー本体および可動カバー部の天壁部に、前記支持具本体に向かうにつれて下方に傾斜する傾斜部を設けたことを特徴とする。
【発明の効果】
【００１１】
請求項１の発明によれば、固定部材の露出部に装着されるカバー本体と、カバー本体にスライド可能に支持され、露出部の被覆範囲を可変とする可動カバー部とを備えるため、複数種類の固定部材カバーを準備する必要がなく、コストを低減させつつ、被覆範囲の異なる露出部を被覆することの可能な竪樋支持具の固定部材カバーを得ることができる。
【００１２】
請求項２の発明によれば、カバー本体を露出部の上方から装着させるとともに、当該カバー本体に対して略コ字状の可動カバー部をスライドさせるという比較的簡素な構成で、露出部を被覆することができる。
【００１３】
請求項３の発明によれば、支持具本体に設けられた回り止め部で、固定部材の露出部に装着されるカバー本体の回り止めを行うことができる。
【００１４】
請求項４の発明によれば、カバー本体および可動カバー部の天壁部に降り注ぐ雨水を竪樋側にガイドして、建物の外壁に水が浸入してしまうのを抑制することができる。
【図面の簡単な説明】
【００１５】
【図１】本発明の第１実施形態にかかる竪樋支持具の斜視図である。
【図２】本発明の第１実施形態にかかる固定部材カバーの分解斜視図である。
【図３】竪樋支持具の固定部材に、第１実施形態にかかる固定部材カバーを取り付けた状況を示す図である。
【図４】竪樋支持具の固定部材に、第１実施形態にかかる固定部材カバーの可動カバー部をスライドさせて取り付けた状況を示す図である。
【図５】本発明の第２実施形態にかかる固定部材カバーの分解斜視図である。
【図６】竪樋支持具の固定部材に、第２実施形態にかかる固定部材カバーを取り付けた状況を示す図である。
【図７】竪樋支持具の固定部材に、第２実施形態にかかる固定部材カバーの可動カバー部をスライドさせて取り付けた状況を示す図である。
【発明を実施するための形態】
【００１６】
以下、本発明の実施形態について図面を参照しながら詳細に説明する。なお、以下の複数の実施形態には、同様の構成要素が含まれている。よって、以下では、それら同様の構成要素には共通の符号を付与するとともに、重複する説明を省略する。
【００１７】
［第１実施形態］
図１〜図４は、本発明の第１実施形態を示した図である。まずは図１を参照して、本発明の適用対象となる竪樋支持具１０について説明する。
【００１８】
本実施形態の竪樋支持具１０は、建物の外壁２０（図３、４参照）に竪樋３０を取り付ける際に使用されるものであって、竪樋３０を支持する支持具本体１と、この支持具本体１に設けられた挿通孔（図示せぬ）に挿通される固定部材としての釘２とを備えている。
【００１９】
支持具本体１は、図１に示すように、竪樋３０を受ける受け側部材３と止め側部材４とに２分割され、ヒンジ部５を介して止め側部材４が受け側部材３に対して回動自在に取り付けられている。受け側部材３および止め側部材４は、互いに設けられた係合部１５の係合状態で略円環状の外形を呈しており、竪樋３０を周囲から支持するようになっている。
【００２０】
係合部１５は、受け側部材３の一端部に埋設された軸部１２と、止め側部材４の一端部に突設された爪部１１とで構成されており、止め側部材４の爪部１１が、受け側部材３の軸部１２の外側から回り込んで軸部１２の周壁１３に係合するようになっている。
【００２１】
また、受け側部材３の略中央部には、環状の本体部分から略矩形状に突設された突部８が設けられている。この突部８には挿通孔（図示せぬ）が形成されており、釘２は挿通孔の支持具本体１内周側（一端側）から挿入され、釘足２ｂを挿通させるとともに、釘頭２ａが挿通孔の一端側の周囲に支持されることで抜け止めされる。
【００２２】
そして、挿通孔を介して釘２を建物の外壁２０に打ち込むことで竪樋支持具１０が取り付けられ、釘足２ｂの露出部２ｃ（図３、４参照）に固定部材カバー４０が装着される。この際、本実施形態では、支持具本体１の突部８の下面８ａに、釘２の延在方向に向けて張り出す台座部１７（回り止め部）が取り付けられており、この台座部１７に固定部材カバー４０の竪樋側端部が載置されるようになっている。
【００２３】
次に、図２を参照して、本発明の特徴部分である固定部材カバー４０について詳しく説明する。
【００２４】
本実施形態の固定部材カバー４０は、固定部材としての釘２を建物の外壁２０（図３、４参照）に打ち込んだ際に、貧弱に見える釘足２ｂの露出部２ｃを被覆することによって、外観上の意匠性を向上させるためのものである。
【００２５】
ここで、本実施形態の固定部材カバー４０は、露出部２ｃに装着されるカバー本体４１と、露出部２ｃの被覆範囲を可変とする可動カバー部４６とを備えており、これらカバー本体４１および可動カバー部４６の両側壁部４１ｂ、４６ｂにそれぞれ設けられたスライド機構４５によって、カバー本体４１に対して可動カバー部４６がスライド可能に支持されている。
【００２６】
カバー本体４１は、図２に示すように、略矩形の箱状体に形成されており、その短手方向両側壁部４１ｂに、前記したスライド機構４５を構成する複数の凸部４４が設けられている。複数の凸部４４は、固定部材カバー４０の長手方向一端側４０Ｅに向けて、側壁部４１ｂの外壁面４１ｄから外方（短手方向外側）に傾斜した傾斜面４４ａを有している。
【００２７】
また、カバー本体４１の下壁部４１ｃには、当該カバー本体４１の長手方向に沿って露出部２ｃを上方から係合させる溝部５０が形成されている。本実施形態では、溝部５０は、カバー本体４１の下壁部４１ｃから上方に向けて切り欠かれた切欠部４２と、この切欠部４２の先端部に設けられ、露出部２ｃの外径に対応させてアーチ状に開口された釘穴部４３とを備えている。そして、切欠部４２は、露出部２ｃを上方から挿入させ易いように、下壁部４１ｃに向けてテーパ状に形成される一方、釘穴部４３は、カバー本体４１の長手方向他端側４０Ｃから長手方向一端側４０Ｅに向けて除々に縮径するように形成されている。この際、本実施形態のカバー本体４１は、弾性体で構成されることが好ましい。
【００２８】
可動カバー部４６は、図２に示すように、カバー本体４１の天壁部４１ａと短手方向両側壁部４１ｂとを覆う略コ字状に形成されており、その短手方向両側壁部４６ｂに、スライド機構４５を構成する複数の凸部４７が設けられている。複数の凸部４７は、カバー本体４１に形成された凸部４４とは逆に、固定部材カバー４０の長手方向他端側４０Ｃに向けて、側壁部４６ｂの内壁面４６ｄから内方（短手方向内側）に傾斜した傾斜面４７ａを有している。
【００２９】
本実施形態では、これらスライド機構４５を構成する可動カバー部４６およびカバー本体４１の各凸部４４、４７によって、可動カバー部４６を一方向（図２中、右方向）にのみ、スライドさせることができるようになっている。可動カバー部４６の他方向（図２中、左方向）への動作は、可動カバー部４６の凸部４７の段差面４７ｂがカバー本体４１の凸部４４の段差面４４ｂに突き当たることで規制され、各凸部４４、４７が連なるようにして隙間無く設けられていることで、可動カバー部４６の他方向への動作に遊びがないようにしている。
【００３０】
そして、可動カバー部４６をカバー本体４１に装着させて一体化し、カバー本体４１の溝部５０を釘足２ｂの露出部２ｃに上方から嵌め込むとともに、カバー本体４１の長手方向他端側４０Ｃの下壁部４１ｃを竪樋支持具１の台座部１７に載置することで固定部材カバー４０が釘２に装着される。
【００３１】
かかる構成の本実施形態の固定部材カバー４０では、図３に示すように、建物の外壁２０と竪樋３０の距離Ｌａに伴う露出部２ｃの出寸法が短い場合には、カバー本体４１に対して可動カバー部４６をスライドさせずに、固定部材カバー４０の長手方向の長さ範囲のみで露出部２ｃを被覆することができる。
【００３２】
この際、本実施形態では、カバー本体４１の長手方向他端側４０Ｃの下壁部４１ｃ（切欠部４２の周囲）が、竪樋支持具１０の台座部１７（回り止め部）に載置されるため、釘２の露出部２ｃに装着されるカバー本体４１の回り止めを行うことができる。
【００３３】
特に、本実施形態では、この台座部１７と長手方向一端側４０Ｅに向けて縮径された溝部５０の釘穴部４３とで、カバー本体４１の長手方向両端部を係止することができるため、カバー本体４１の回り止めを確実に行うことができる。
【００３４】
そして、図４に示すように、建物の外壁２０と竪樋３０の距離Ｌｂに伴う露出部２ｃの出寸法が長い場合には、カバー本体４１に対して可動カバー部４６を矢印Ａに示すように、建物の外壁２０に向けてスライドさせることで、露出部２ｃの出寸法を可動カバー部４６で補って上方から被覆することができる。
【００３５】
可動カバー部４６をスライドさせた際には、カバー本体４１および可動カバー部４６の両側壁部４１ｂ、４６ｂに設けられたスライド機構４５によって、可動カバー部４６の他方向への動作が規制されているため、露出部２ｃの被覆を確実に行って固定部材カバー４０の信頼性を高めることができる。
【００３６】
以上、詳細に亘って説明してきたように、本実施形態では、釘（固定部材）２の露出部２ｃに装着されるカバー本体４１と、カバー本体４１にスライド可能に支持され、露出部２ｃの被覆範囲を可変とする可動カバー部４６とを備えた固定部材カバー４０を用いているため、従来のように複数種類の固定部材カバーを準備する必要がなく、コストを低減させつつ、被覆範囲の異なる露出部２ｃを被覆することの可能な竪樋支持具１０の固定部材カバー４０を得ることができる。
【００３７】
また、カバー本体４１の下壁部４１ｃには、当該カバー本体４１の長手方向に沿って露出部２ｃを上方から係合させる溝部５０が形成されているとともに、可動カバー部４６は、カバー本体４１の天壁部４１ａと短手方向両側壁部４１ｂとを覆う略コ字状に形成されているため、カバー本体４１を釘２の上方から装着させるとともに、当該カバー本体４１に対して略コ字状の可動カバー部４６をスライドさせるという比較的簡素な構成で、釘２の露出部２ｃを被覆することができる。
【００３８】
また、竪樋支持具１０の支持具本体１には、カバー本体４１を回り止めする台座部１７（回り止め部）が設けられているため、釘２の露出部２ｃに装着されるカバー本体４１の回り止めを行うことができる。
【００３９】
［第２実施形態］
次に、本発明の第２実施形態について図面を参照して説明する。図５〜図７は本実施形態にかかる竪樋支持具の固定部材カバーを示した図である。
【００４０】
本実施形態の固定部材カバー４０Ａは、上記第１実施形態にかかる固定部材カバー４０に対して、カバー本体４１および可動カバー部４６の天壁部４１ａ、４６ａに、固定部材カバー４０Ａの取付状態で、竪樋支持具１０の支持具本体１に向かうにつれて下方に傾斜する傾斜部５０を設けた点が異なっている。
【００４１】
傾斜部５０は、図５に示すように、カバー本体４１および可動カバー部４６の天壁部４１ａ、４６ａの同位置に同一形状で形成されており、可動カバー部４６をカバー本体４１に装着させて一体化した際に、可動カバー部４６の傾斜部５０ｂがカバー本体４１の傾斜部５０ａに係合するようになっている。
【００４２】
かかる構成の本実施形態の固定部材カバー４０Ａでは、図６に示すように、上記第１実施形態と同様にして、建物の外壁２０と竪樋３０の距離Ｌａに伴う露出部２ｃの出寸法が短い場合には、カバー本体４１に対して可動カバー部４６をスライドさせずに、固定部材カバー４０Ａの長手方向の長さ範囲のみで露出部２ｃを被覆することができる。
【００４３】
この際、本実施形態では、カバー本体４１および可動カバー部４６の天壁部４１ａ、４６ａに、支持具本体１に向かうにつれて下方に傾斜する傾斜部５０が設けられているため、可動カバー部４６の天壁部４６ａに降り注ぐ雨水を竪樋３０側にガイドして、建物の外壁２０に水が浸入してしまうのを抑制することができる。
【００４４】
そして、図７に示すように、建物の外壁２０と竪樋３０の距離Ｌｂに伴う露出部２ｃの出寸法が長い場合には、カバー本体４１に対して可動カバー部４６を矢印Ａに示すように、建物の外壁２０に向けてスライドさせることで、露出部２ｃの出寸法を可動カバー部４６で補って上方から被覆することができる。
【００４５】
可動カバー部４６をスライドさせる際には、互いの傾斜部５０ａ、５０ｂが係合して設けられているため、カバー本体４１に対して可動カバー部４６が、図７中、右斜め上方向に持ち上がってスライド移動することとなり、傾斜部５０ａ、５０ｂを略一直線状にして雨水を排出することができる。
【００４６】
以上、本発明の好適な実施形態について説明したが、本発明は上記実施形態には限定されず、種々の変形が可能である。例えば、上記第１および第２実施形態では、固定部材として釘２を用いたが、これに限定されず、ネジ等を用いてもよい。
【符号の説明】
【００４７】
１    支持具本体
２    釘（固定部材）
２ｃ  露出部
６    挿通孔
１０  竪樋支持具    
２０  外壁
３０  竪樋
４０、４０Ａ  固定部材カバー
４１  カバー本体
４６  可動カバー部
【図１】
2011006898.tif 000003
【図２】
2011006898.tif 000004
【図３】
2011006898.tif 000005
【図４】
2011006898.tif 000006
【図５】
2011006898.tif 000007
【図６】
2011006898.tif 000008
【図７】
2011006898.tif 000009